(57)【特許請求の範囲】
【請求項１】
原稿の画像を読み取る読取手段と、
前記読取手段により読み取られた複数枚の原稿の画像を、前記原稿の枚数よりも少ない枚数の記録媒体に、指定された配置で形成する画像形成手段と、
前記画像形成手段による画像形成の指示を受け付ける受付手段と、
前記複数枚の原稿の画像のうち、最初に画像を形成する前記記録媒体の少なくとも片面分の原稿の画像を読み取ったときに、読み取った原稿の画像に対応する確認画像が前記配置に従って表示されるように表示手段を制御し、その後、前記受付手段により前記指示が受け付けられた場合、前記複数枚の原稿の画像のうち、続きの原稿については、前記確認画像を表示させずに、前記記録媒体に画像が形成されるように前記読取手段及び前記画像形成手段を制御する制御手段と、
を備えた画像形成装置。
【請求項２】
前記制御手段は、
前記最初に画像を形成する前記記録媒体の片面分の原稿の画像を読み取ったときに、前記記録媒体の片面分の原稿の画像に対応する確認画像が前記配置に従って配された第１の画像が表示されるように表示手段を制御し、
前記最初に画像を形成する前記記録媒体の両面分の原稿の画像を読み取ったときに、前記第１の画像に代えて、前記最初に画像を形成する前記記録媒体の両面分の原稿の画像に対応する確認画像が前記配置に従って配された第２の画像が表示されるように表示手段を制御する
請求項１記載の画像形成装置。
【請求項３】
前記片面分の原稿の画像を読み取った時点で前記確認画像を表示させる第１の形態、及び両面分の原稿の画像を読み取った時点で前記確認画像を表示させる第２の形態の何れかに設定する設定手段を更に備え、
前記制御手段は、
前記設定手段により前記第２の形態が設定されていた場合は、前記両面分の原稿の画像を読み取ったときに、前記第２の画像が表示されるように表示手段を制御する
請求項２記載の画像形成装置。
【請求項４】
前記複数枚の原稿を１枚ずつ前記読取手段に送る原稿送り手段をさらに備え、
前記制御手段は、前記記録媒体の片面に形成する複数枚の原稿の画像の読み取りが終了し、当該複数枚の原稿の画像に対応する前記確認画像の表示中に、前記記録媒体の裏面に形成する複数枚の原稿の画像が読み取られるように、前記読取手段を制御する
請求項２記載の画像形成装置。
【請求項５】
前記確認画像は、一部が折り返されることにより前記記録媒体の表面及び裏面の双方の少なくとも一部が視認できる画像である
請求項２記載の画像形成装置。
【請求項６】
複数枚の原稿の画像のうち、最初に画像を形成する前記記録媒体の少なくとも片面分の原稿の画像を読取手段により読み取るステップと、
読み取った原稿の画像に対応する確認画像が前記原稿の枚数よりも少ない枚数の記録媒体に、指定された配置に従って表示されるように表示手段を制御するステップと、
前記複数枚の原稿の画像を前記記録媒体に前記配置で形成する画像形成手段による画像形成の指示を受け付けるステップと、
前記指示が受け付けられた場合、前記複数枚の原稿の画像のうち、続きの原稿については、前記確認画像を表示させずに、前記複数枚の原稿の画像が前記記録媒体に前記配置で形成されるように前記読取手段及び前記画像形成手段を制御するステップと、
を含む処理をコンピュータに実行させるための画像形成プログラム。
【発明の詳細な説明】
【技術分野】
【０００１】
本発明は、画像形成装置及び画像形成プログラムに関する。
【背景技術】
【０００２】
特許文献１には、原稿の両面を読み取って両面印刷を行う両面読取モードを選択可能な画像形成装置において、前記両面読取モードに際して、前記原稿の一方の面の先行読み取りを指定する先行指定手段と、この先行指定手段により前記原稿の一方の面の先行読み取りが指定された場合には、前記原稿の一方の面を先行して昇順に読み取る第１の画像読取手段と、この第１の画像読取手段により読み取った前記原稿の一方の面の画像データに各種設定を施した結果を簡易的に示す第１の仕上がり情報を生成する第１の仕上がり情報生成手段と、一方の面が全て読み取られた前記原稿の他方の面を降順に読み取る第２の画像読取手段と、この第２の画像読取手段により読み取った前記原稿の他方の面の画像データに各種設定を施した結果を簡易的に示す第２の仕上がり情報を生成する第２の仕上がり情報生成手段と、前記第１の仕上がり情報および前記第２の仕上がり情報を合成して前記原稿の両面を順次読み取った場合に相当する仕上がり情報を生成する合成手段と、この合成手段により生成した前記仕上がり情報を表示部に出力する仕上がり情報出力手段と、を備えることを特徴とする画像形成装置が記載されている。
【０００３】
また、特許文献２には、原稿を移送するための原稿移送経路と、前記原稿移送経路に設置される画像読み取り部と、前記画像読み取り部によって読み取られるイメージを表示し、使用者の入力命令を取得するためのディスプレイ部と、前記原稿を前記画像読み取り部に移送させ、前記画像読み取り部によって読み取られるイメージを前記ディスプレイ部に表示し、前記ディスプレイ部を通して使用者により選択された読み取りイメージに対してイメージ処理動作を制御する制御部と、を含む、画像形成装置が記載されている。
【０００４】
また、特許文献３には、ＤＦ部と、スキャナ部と、操作表示部と、画像メモリを有する原稿読み取り装置を有する画像形成装置又は画像送信装置において、前記操作表示部から、露光濃度、領域適応処理、解像度、拡大・縮小などの原稿読み取り条件に関係する第１の設定を行う第１の設定入力部と、この第１の設定が終了したときに操作するための第１の設定終了キーと、前記操作表示部から、コピー部数、後処理、ページ番号付与、ファクシミリ送信の相手先、画像データの送信先などの原稿読み取り条件に関係しない第２の設定を行う第２の設定入力部と、コピー開始、ファクシミリ送信、又は画像データの転送などの開始を行うためのスタートキーと、ＤＦ部に原稿が置かれており、かつ前記第１の設定終了キーが操作されたときには、前記第１の設定に基づいて原稿読み取りを開始して画像メモリに格納するとともに、コピーの開始、ファクシミリ送信、画像の転送は開始しない第１の制御手段と、前記スタートキーが操作されると、前記第２の設定に基づいて読み取った画像データのコピーの開始、ファクシミリ送信、画像の転送を行う第２の制御手段とを有することを特徴とする原稿読み取り装置を有する画像形成装置が記載されている。
【先行技術文献】
【特許文献】
【０００５】
【特許文献１】特開２００８−１５３８９０号公報
【特許文献２】特開２００９−３３７１４号公報
【特許文献３】特開２００３−３０４３５８号公報
【発明の概要】
【発明が解決しようとする課題】
【０００６】
本発明は、本構成を有さない場合と比較して、読み取った複数枚の原稿の画像が記録媒体にどのような配置で形成されるか把握しやすくなる画像形成装置及び画像形成プログラムを提供することを目的とする。
【課題を解決するための手段】
【０００７】
上記目的を達成するために、請求項１記載の発明の画像形成装置は、原稿の画像を読み取る読取手段と、前記読取手段により読み取られた複数枚の原稿の画像を、前記原稿の枚数よりも少ない枚数の記録媒体に、指定された配置で形成する画像形成手段と、前記画像形成手段による画像形成の指示を受け付ける受付手段と、前記複数枚の原稿の画像のうち、最初に画像を形成する前記記録媒体の少なくとも片面分の原稿の画像を読み取ったときに、読み取った原稿の画像に対応する確認画像が前記配置に従って表示されるように表示手段を制御し、その後、前記受付手段により前記指示が受け付けられた場合、前記複数枚の原稿の画像のうち、続きの原稿については、前記確認画像を表示させずに、前記記録媒体に画像が形成されるように前記読取手段及び前記画像形成手段を制御する制御手段と、を備える。
【０００８】
請求項２記載の発明は、前記制御手段は、前記最初に画像を形成する前記記録媒体の片面分の原稿の画像を読み取ったときに、前記記録媒体の片面分の原稿の画像に対応する確認画像が前記配置に従って配された第１の画像が表示されるように表示手段を制御し、前記最初に画像を形成する前記記録媒体の両面分の原稿の画像を読み取ったときに、前記第１の画像に代えて、前記最初に画像を形成する前記記録媒体の両面分の原稿の画像に対応する確認画像が前記配置に従って配された第２の画像が表示されるように表示手段を制御する。
請求項３記載の発明は、前記片面分の原稿の画像を読み取った時点で前記確認画像を表示させる第１の形態、及び両面分の原稿の画像を読み取った時点で前記確認画像を表示させる第２の形態の何れかに設定する設定手段を更に備え、前記制御手段は、前記設定手段により前記第２の形態が設定されていた場合は、前記両面分の原稿の画像を読み取ったときに、前記第２の画像が表示されるように表示手段を制御する。
【０００９】
請求項４記載の発明は、前記複数枚の原稿を１枚ずつ前記読取手段に送る原稿送り手段をさらに備え、前記制御手段は、前記記録媒体の片面に形成する複数枚の原稿の画像の読み取りが終了し、当該複数枚の原稿の画像に対応する前記確認画像の表示中に、前記記録媒体の裏面に形成する複数枚の原稿の画像が読み取られるように、前記読取手段を制御する。
請求項５記載の発明は、前記確認画像は、一部が折り返されることにより前記記録媒体の表面及び裏面の双方の少なくとも一部が視認できる画像である。
【００１０】
請求項６記載の発明の画像形成プログラムは、複数枚の原稿の画像のうち、最初に画像を形成する前記記録媒体の少なくとも片面分の原稿の画像を読取手段により読み取るステップと、読み取った原稿の画像に対応する確認画像が前記原稿の枚数よりも少ない枚数の記録媒体に、指定された配置に従って表示されるように表示手段を制御するステップと、前記複数枚の原稿の画像を前記記録媒体に前記配置で形成する画像形成手段による画像形成の指示を受け付けるステップと、前記指示が受け付けられた場合、前記複数枚の原稿の画像のうち、続きの原稿については、前記確認画像を表示させずに、前記複数枚の原稿の画像が前記記録媒体に前記配置で形成されるように前記読取手段及び前記画像形成手段を制御するステップと、を含む処理をコンピュータに実行させる。
【発明の効果】
【００１１】
請求項１及び請求項６記載の発明によれば、本構成を有さない場合と比較して、読み取った複数枚の原稿の画像が記録媒体にどのような配置で形成されるか把握しやすくなる、という効果を有する。
【００１２】
請求項２記載の発明によれば、記録媒体の片面分の原稿の画像に対応する確認画像のみを表示するものよりも、記録媒体の両面に原稿の画像がどのように形成されるかを把握しやすくなり、かつ、記録媒体の両面分の原稿の画像を読み取って初めて確認画像を表示するものよりも、記録媒体の片面に原稿の画像がどのように形成されるかを迅速に把握しやすくなる、という効果を有する。
【００１３】
請求項４記載の発明によれば、確認画像の表示が終了してから次の原稿の画像を読み取る場合と比較して、原稿の読み取り時間を短縮することができる、という効果を有する。
【図面の簡単な説明】
【００１４】
【図１】第１実施形態に係る画像形成装置の概略ブロック図である。
【図２】画像形成装置の外観図である。
【図３】第１実施形態に係る画像形成装置のコンピュータで実行される制御プログラムのフローチャートである。
【図４】１枚目の原稿のセット方法を表示し、読み取り開始を指示するための画面の一例を示す図である。
【図５】原稿読み取り中である旨を示す画面の一例を示す図である。
【図６】プレビュー画像の表示画面の一例を示す図である。
【図７】プレビュー画像の表示画面の一例を示す図である。
【図８】２枚目以降の原稿のセット方法を表示し、原稿読み取りの継続あるいは終了を指示するための画面の一例を示す図である。
【図９】課金方法を選択し、印刷開始を指示する画面の一例を示す図である。
【図１０】第２実施形態に係る画像形成装置の概略ブロック図である。
【図１１】第２実施形態に係る画像形成装置のコンピュータで実行される制御プログラムのフローチャートである。
【発明を実施するための形態】
【００１５】
以下、本発明の実施形態について説明する。
【００１６】
（第１実施形態）
本実施形態では、例えばコンビニエンスストア等の店舗等に設置され、原稿を１枚ずつセットして画像を読み取り、読み取った画像を紙等の記録媒体に記録する画像形成装置について説明する。
【００１７】
図１には、本実施形態に係る画像形成装置１０の概略ブロック図を例示した。また、図２には、画像形成装置１０の外観図を例示した。図１に示すように、画像形成装置１０は、コンピュータ１８を含んで構成されている。
【００１８】
コンピュータ１８は、ＣＰＵ（Ｃｅｎｔｒａｌ  Ｐｒｏｃｅｓｓｉｎｇ  Ｕｎｉｔ）１８Ａ、ＲＯＭ（Ｒｅａｄ  Ｏｎｌｙ  Ｍｅｍｏｒｙ）１８Ｂ、ＲＡＭ（Ｒａｎｄｏｍ  Ａｃｃｅｓｓ  Ｍｅｍｏｒｙ）１８Ｃ、不揮発性メモリ１８Ｄ、ハードディスク１８Ｅ、及び入出力インターフェース（Ｉ／Ｏ）１８Ｆがバス１８Ｇを介して各々接続された構成となっている。
【００１９】
Ｉ／Ｏ１８Ｅには、操作表示部２０、画像読取部２２、画像形成部２４、用紙供給部２６、用紙排出部２８、ネットワーク通信インターフェース（Ｉ／Ｆ）３０、電話回線インターフェース（Ｉ／Ｆ）３２、及び課金部３６等の各機能部が接続されている。
【００２０】
操作表示部２０は、コピーやファクス送信等の各種機能のメニュー画面の表示や各機能における画像形成条件等の各種パラメータの設定等の各種操作を行うためのものであり、例えばタッチパネル等を含んで構成される。
【００２１】
画像読取部２２は、ラインＣＣＤ等の画像読取センサや当該画像読取センサを走査するための走査機構等を含んで構成され、装置にセットされた原稿の画像を読み取る。本実施形態では、画像読取部２２は、例えばプラテンガラス上にセットされた原稿の画像を読み取るものであり、複数枚の原稿の画像を読み取る場合は、１枚ずつ原稿をセットして読み取る。
【００２２】
画像形成部２４は、例えば所謂電子写真方式により記録媒体上に画像を形成するものである。具体的には、画像形成部２４は、感光体ドラムを帯電するための帯電装置、帯電された感光体ドラム上を画像に応じた光で露光することにより感光体ドラム上に画像に応じた静電潜像を形成する露光装置、感光体ドラム上に形成された静電潜像をトナー現像する現像装置、感光体ドラム上に形成された画像に応じたトナー像を記録媒体に転写する転写装置、記録媒体に転写された画像に応じたトナー像を定着する定着装置等を含んで構成される。
【００２３】
なお、露光装置としては、半導体レーザや回転多面鏡、コリメータレンズやシリンドリカルレンズ、ｆθレンズ等の光学系を含んで構成された光走査装置、複数のＬＥＤから成るＬＥＤヘッド等がある。
【００２４】
用紙供給部２６は、記録用紙が収容される用紙収容部や、用紙収容部から画像形成部２４へ記録用紙を供給する供給機構等を含んで構成される。
【００２５】
用紙排出部２８は、画像形成部２４で画像が形成された記録用紙を排出部に排出させるための排出機構等を含んで構成される。
【００２６】
ネットワーク通信Ｉ／Ｆ３０は、図示しないネットワークを介して他の外部装置とデータ通信を行うためのインターフェースである。
【００２７】
電話回線通信Ｉ／Ｆ３２は、図示しない電話回線を介して接続された他の画像形成装置とファクシミリ通信を行うためのインターフェースである。
【００２８】
ハードディスク１８Ｅは、例えば装置の各部の状態や稼働状況等のログデータ、コピーやファクス送信等の処理結果のログデータ、各種の設定データ、制御プログラム等が記憶される。
【００２９】
課金部３６は、記録用紙への画像形成に対して、投入された硬貨から課金するコイン課金部３６Ａと、記録用紙への画像形成に対して電子マネーから課金する電子マネー課金部３６Ｂと、を含んで構成されている。なお、課金は、本実施形態では一例として記録用紙の面毎に課金される。例えば、白黒コピーの単価が１０円の場合、記録用紙の両面にコピーした場合には、２×１０円＝２０円が課金される。
【００３０】
なお、硬貨は、現金（通貨）に限らず、画像形成装置１０専用のコインでもよい。また、電子マネーとしては、例えば電子記録や磁気記録によって金額情報が記録されたプリペイドカードや、料金の引き落とし口座に関する情報が記録されたクレジットカード、デビットカード等がある。
【００３１】
このような画像形成装置１０は、例えばコピー機能やファクシミリの送信機能等の各種サービス機能を有する。
【００３２】
次に、本実施形態の作用として、コンピュータ１８のＣＰＵ１８Ａで実行される処理について、図３に示すフローチャートを参照して説明する。なお、図３に示す処理の制御プログラムは、例えばハードディスク１８Ｅに予め記憶され、これをＣＰＵ１８Ａが読み込んで実行する。なお、制御プログラムは、ネットワーク通信Ｉ／Ｆ３０を介して他のコンピュータから提供されるようにしてもよいし、ＣＤ−ＲＯＭ等の記録媒体から提供されるようにしてもよい。
【００３３】
なお、図３に示す処理は、ユーザーが操作表示部２０に表示されたトップメニュー画面を操作してコピー機能を選択した場合に実行される。
【００３４】
ステップ１００では、コピー機能の各種パラメータを設定する。例えば、まず操作表示部２０に図示しない設定画面を表示させる。この設定画面は、例えばＮ枚（Ｎは２以上の整数）の原稿を１枚にまとめてコピーするＮ枚を１枚コピー、両面コピー等の各種コピー機能から所望のコピー機能を選択するためのものである。また、設定画面では、カラーモード（白黒、カラー等）、原稿サイズ（Ａ４サイズ、Ｂ５サイズ等）、Ｎ枚を１枚コピー時の原稿のレイアウト順序、両面コピー時の原稿の向き（たて原稿上下開き、よこ原稿上下開き）、濃度、印刷部数、後述するプレビュー表示条件等の各種パラメータを設定する。
【００３５】
Ｎ枚を１枚コピーは、例えば原稿が２枚の場合は、読み取った２枚分の画像を、例えば元原稿と同じサイズの記録用紙に印刷するのであれば、各々の画像を１／２以下に縮小して記録用紙の１面にまとめて印刷する機能（２枚を１枚コピー）である。このとき、読み取った２枚分の画像は、「原稿のレイアウト順序」パラメータで指定された配置で印刷される。
【００３６】
また、両面コピーは、２枚の原稿を読み取り、読み取った２枚分の画像を１枚の記録用紙の表面及び裏面に印刷する機能である。このとき、読み取った２枚分の画像は、「原稿の向き」パラメータで指定された配置で印刷される。
【００３７】
なお、Ｎ枚を１枚コピーと両面コピーを併せたコピー機能もある。すなわち、例えば原稿が４枚の場合に、２枚を１枚コピーで且つ両面コピーを選択すると、１枚目の原稿と２枚目の原稿が記録用紙の表面（Ａ面）に２枚を１枚コピーで印刷され、３枚目と４枚目の原稿が記録用紙の裏面（Ｂ面）に２枚を１枚コピーで印刷される。すなわち、４枚の原稿の画像が１枚の記録用紙の表面と裏面に印刷される。
【００３８】
本実施形態では、Ｎ枚を１枚コピーや両面コピー等が選択された場合に、実際の原稿の画像に基づくプレビュー画像をプレビュー表示条件で設定された条件に従って操作表示部２０に表示する。このプレビュー画像は、各原稿の画像に対応する画像（確認画像）が、「原稿のレイアウト順序」パラメータや「原稿の向き」パラメータで指定された配置に従って表示されたできあがり画像を含む画像である。なお、確認画像は、原稿の画像の一部のみがユーザーに把握できるものであってもよい。
【００３９】
プレビュー表示条件は、最初に印刷する記録用紙の片面に印刷する分の原稿の画像を読み取った時点でプレビュー画像を表示させるか、最初に印刷する記録用紙の両面に印刷する分の原稿の画像を読み取った時点でプレビュー画像を表示させるか等を設定するものであり、ユーザーが所望のプレビュー表示条件を設定する。
【００４０】
設定画面において、コピー機能に関する各種パラメータの設定が終了すると、ステップ１０２へ移行する。
【００４１】
ステップ１０２では、複数原稿モードであるか否か、すなわち、Ｎ枚を１枚コピー及び両面コピーの何れかが選択されたか否かを判断する。これらの何れかのコピー機能が選択された場合は、複数原稿モードであるとしてステップ１０４へ移行し、複数原稿モード以外のコピー機能が選択された場合には、ステップ１３４へ移行する。ステップ１３４では、それぞれのコピー機能に応じた印刷処理が実行されるが、詳細については省略する。
【００４２】
一方、ステップ１０４では、図４に示すような原稿セット方法が説明された画面Ｇ５を操作表示部２０に表示させる。同図に示すように、画面Ｇ５には、原稿のセット方法、すなわち原稿のつきあて位置及び読み取り面を下向きにする点について説明するための画像や１枚目の原稿の読み取りを指示するためのボタンＢ２８等が表示されている。
【００４３】
なお、画面Ｇ５において、戻るボタンＢ８を押下すると、一つ前の画面に戻り、終了ボタンＢ９を押下すると、トップメニューへ戻り、取消ボタンＢ１０を押下すると、設定が全て取り消される。これらのボタンの機能は以下の画面においても同じである。
【００４４】
ユーザーは、画面に従って１枚目の原稿を画像読取部２２にセットして、ボタンＢ２８を押下することにより、１枚目の原稿の読み取りを指示する。
【００４５】
ステップ１０６では、ボタンＢ２８が押下され、１枚目の原稿の読み取りが指示されたか否かを判断する。そして、１枚目の原稿の読み取りが指示された場合には、ステップ１０８へ移行し、１枚目の原稿の読み取りが指示されていない場合には、読み取りが指示されるまで待機する。
【００４６】
ステップ１０８では、画像読取部２２に画像の読み取りを指示し、１枚目の原稿の画像を読み取らせる。原稿の読み取り中には、図５に示すような原稿を読み取り中であることを示す画面Ｇ６を操作表示部２０に表示させる。
【００４７】
ステップ１１０では、ユーザーにより設定されたプレビュー表示条件を満たすか否かが判断される。すなわち、最初に印刷する記録用紙の片面に印刷する分の原稿の画像を読み取った時点でプレビュー画像を表示させるようにプレビュー表示条件が設定されていた場合は、最初に印刷する記録用紙の片面印刷分の画像が読み取られたか否かが判断される。例えば、４枚の原稿を２枚を１枚コピーで両面コピーする設定になっていた場合には、最初に印刷する記録用紙の片面印刷分である最初の２枚の原稿の画像を読み取ったか否かが判断される。
【００４８】
一方、最初に印刷する記録用紙の両面に印刷する分の原稿の画像を読み取った時点でプレビュー画像を表示させるようにプレビュー表示条件が設定されていた場合には、最初に印刷する記録用紙の両面印刷分の画像が読み取られたか否かが判断される。例えば、４枚の原稿を２枚を１枚コピーで両面コピーする設定になっていた場合には、最初に印刷する記録用紙の両面印刷分である最初の４枚の原稿の画像を読み取ったか否かが判断される。
【００４９】
そして、プレビュー表示条件を満たす場合には、ステップ１１２へ移行し、プレビュー表示条件を満たしていない場合には、ステップ１２０へ移行する。
【００５０】
ステップ１１２では、図６に示すようなプレビュー画像５０が表示された画面Ｇ１０を操作表示部２０に表示させる。この画面Ｇ１０には、プレビュー画像５０の他、中止ボタンＢ５０、プレビュー終了ボタンＢ５４が表示される。
【００５１】
このプレビュー画像５０は、コピー機能のパラメータが、２枚を１枚コピーで且つ両面コピー、さらに「原稿の向き」パラメータが「たて原稿上下開き」の場合で、プレビュー表示条件が、両面印刷分の原稿の画像を読み取った時点でプレビュー表示させる条件となっていた場合の例である。
【００５２】
この場合、最初の４枚の原稿の画像が読み取られた時点で図６に示すようなプレビュー画像５０が表示される。
【００５３】
図６に示すように、プレビュー画像５０は、１枚目の原稿の画像を縮小した確認画像５２−１、２枚目の原稿の画像を縮小した確認画像５２−２、３枚目の原稿の画像を縮小した確認画像５２−３、４枚目の原稿の画像を縮小した確認画像５２−４が各々表示されると共に、１枚目の原稿の画像を縮小した確認画像５２−１及び２枚目の原稿の画像を縮小した確認画像５２−２が２枚を１枚コピーで記録用紙の表面（Ａ面）に印刷され、３枚目の原稿の画像を縮小した確認画像５２−３及び４枚目の原稿の画像を縮小した確認画像５２−４が２枚を１枚コピーで記録用紙の裏面（Ｂ面）に印刷されたできあがり状態を示すできあがり画像５４が表示されたものである。図中矢印ができあがり画像５４を指し示す位置によって、各確認画像がどの位置に配置されるかが確認される。
【００５４】
ユーザーは、このプレビュー画像５０を確認し、所望のレイアウト配置となっているかを確認する。
【００５５】
なお、プレビュー画像５４は、図６に示すようなものに限らず、図７に示すようなプレビュー画像Ｇ１０Ａを用いても良い。図７に示すプレビュー画像５０は、できあがり画像５４には実際の原稿の画像は表示されないが、各確認画像上に表示された原稿の順番を示す番号と、できあがり画像５４上の番号とが対応することで各原稿の画像がどの位置に配置されるかが確認される。また、できあがり画像５４に表面（Ａ面）、裏面（Ｂ面）を示すアルファベットが表示されることにより、各原稿の画像が表面に印刷されるのか裏面に印刷されるのかが確認される。
【００５６】
ステップ１１４では、中止ボタンＢ５０が押下されたか否かが判断され、中止ボタンＢ５０が押下された場合には、処理を中止するべく本ルーチンを終了し、中止ボタンＢ５０が押下されていない場合には、ステップ１１８へ移行する。
【００５７】
ステップ１１８では、プレビュー表示終了ボタンＢ５４が押下されたか否かが判断され、プレビュー表示終了ボタンＢ５４が押下された場合には、ステップ１２０へ移行し、プレビュー表示終了ボタンＢ５４が押下されていない場合には、ステップ１１４へ移行する。
【００５８】
ステップ１２０では、図１０に示すような原稿セット方法が説明された画面Ｇ７を操作表示部２０に表示させる。図１０に示すように、画面Ｇ７には、原稿のセット方法、すなわち原稿のつきあて位置及び読み取り面を下向きにする点について説明するための画面を表示する際の画像と、ｎ枚目（ｎは２以上の整数、ここでは２枚目）の原稿があることを指示するためのボタンＢ２９と、ｎ枚目の原稿がないことを指示するためのボタンＢ３０、処理の中止を指示するためのボタンＢ３１が表示されている。なお、このステップが実行される毎に、画面Ｇ７の原稿の順番を示す番号ｎはインクリメントされる。
【００５９】
ユーザーは、画面に従ってｎ枚目の原稿を画像読取部２２にセットして、ボタンＢ２９を押下することにより、ｎ枚目の原稿があることを指示する。
【００６０】
ステップ１２２では、次の原稿があるか否か、ここでは２枚目の原稿があるか否かを判断し、次の原稿がある場合にはステップ１２４へ移行し、次の原稿がない場合には、ステップ１２６へ移行する。
【００６１】
ステップ１２４では、セットされた原稿を読み取るように画像読取部２２に指示する。これにより、画像読取部２２により画像が読み取られる。そして、ステップ１１０へ戻り、最終原稿が読み取られるまで上記の処理を繰り返す。なお、原稿の読み取り中には、図５に示すような原稿を読み取り中であることを示す画面Ｇ６を操作表示部２０に表示させる。
【００６２】
ステップ１２６では、図９に示すような印刷開始画面Ｇ８を操作表示部２０に表示させる。印刷開始画面Ｇ８には、処理の中止を指示するためのボタンＢ３１、印刷開始を指示するためのボタンＢ３２、コイン（現金）での支払いを選択するためのボタンＢ３３、及び電子マネーでの支払いを選択するためのボタンＢ３４が表示されている。なお、本実施形態では、デフォルトでコインでの支払いが選択されているものとする。
【００６３】
ステップ１２８では、残高チェック処理が実行される。具体的には、コインでの支払いが選択されている場合には、ユーザーがコイン課金部３６Ａに投入したコインの金額が残高不足の場合には、ユーザーが不足分の金額のコインを投入して残高不足が解消した場合にステップ１３０へ移行する。
【００６４】
一方、電子マネーでの支払いが選択された場合、ユーザーが電子マネー課金部３６Ｂにセットした電子マネーの残高に読み取らせ、読み取った電子マネーの残高が残高不足の場合はコインへ支払いを変更させ、ユーザーがコインをコイン課金部３６Ａに投入して残高不足が解消した場合にステップ１３０へ移行する。
【００６５】
ステップ１３０では、印刷開始が指示されたか否か、すなわち、印刷開始ボタンＢ３２が押下されたか否かを判断する。そして、印刷開始ボタンＢ３２が押下されていない場合には、印刷開始ボタンＢ３２が押下されるまで待機し、印刷開始ボタンＢ３２が押下された場合には、ステップ１３２へ移行する。
【００６６】
ステップ１３２では、画像形成処理が実行される。具体的には、コインでの支払いが選択されている場合には、１ページ（１面）分の画像形成処理を実行すると共に、１ページ分の課金処理を行うようにコイン課金部３６Ａに指示する。これにより、コイン課金部３６Ａでは、投入された硬貨から１面分の料金を引き落とす。そして、この処理を最終原稿の画像形成処理が終了するまで繰り返す。
【００６７】
一方、電子マネーでの支払いが選択されている場合、全ページ（全面）分の課金処理を行うように電子マネー課金部３６Ｂに指示する。これにより、電子マネー課金部３６Ｂでは、全ページ分の料金を電子マネー課金部３６Ｂにセットされた電子マネーから引き落とす。そして、最終原稿の画像形成が終了するまで画像形成処理を繰り返す。
【００６８】
なお、本実施形態では、最初に印刷される記録用紙の少なくとも片面分の原稿の画像を読み取った場合にプレビュー画像を１回だけ表示させる場合について説明したが、記録用紙の少なくとも片面分の原稿分の原稿の画像を読み取る毎にプレビュー画像を表示させる等、プレビュー画像を表示させる回数は最初の１回に限られるものではない。
【００６９】
例えば、まず、記録用紙の表面に印刷する分の原稿の画像を読み取った際に（記録用紙の表面に原稿の画像がどのように配置されるか把握できる）第１のプレビュー画像を表示させ、次いで、記録用紙の両面に印刷する分の原稿の画像を読み取った際には、第１のプレビュー画像に代えて、（記録用紙の両面に原稿の画像がどのように配置されるか把握できる）第２のプレビュー画像を表示させるといった形態も考えられる。
【００７０】
また、本実施形態では、残高が電子記録されるＩＣカードを電子マネーとして用いた場合について説明したが、例えば前述したように電子マネーがクレジットカードやデビットカードでもよい。この場合、図３のステップ１３０では、電話回線やネットワークを介してクレジットカードの発行元のクレジット会社やデビットカードの発行元の銀行等にアクセスし、セットされたクレジットカードやデビットカードの利用を許可すべきか否かを問い合わせる処理、利用が許可されない場合は、その旨を操作表示部２０に表示させる等の処理が実行される。
【００７１】
（第２実施形態）
次に、本発明の第２実施形態について説明する。本実施形態では、例えばオフィス等に設置され、複数枚の原稿を１枚ずつ自動で読み取り、読み取った画像を紙等の記録媒体に記録する画像形成装置について説明する。
【００７２】
図１０には、本実施形態に係る画像形成装置１０Ａの概略構成を示した。画像形成装置１００Ａが図１に示す画像形成装置１０と異なる点は、自動原稿送り装置４０を備えている点と、課金部３６が省略されている点のみであり、その他の構成は画像形成装置１０と同一であるので、説明は省略する。
【００７３】
本実施形態では、１枚ずつ原稿をセットして画像を読み取らせるのではなく、ユーザーが自動原稿送り装置４０にセットした複数枚の原稿を自動で１枚ずつ画像読取部２２に送り込んで画像を順次読み取らせる場合について説明する。
【００７４】
次に、本実施形態の作用として、コンピュータ１８のＣＰＵ１８Ａで実行される処理について、図１１に示すフローチャートを参照して説明する。なお、図１１に示す処理の制御プログラムは、例えばハードディスク１８Ｅに予め記憶され、これをＣＰＵ１８Ａが読み込んで実行する。なお、制御プログラムは、ネットワーク通信Ｉ／Ｆ３０を介して他のコンピュータから提供されるようにしてもよいし、ＣＤ−ＲＯＭ等の記録媒体から提供されるようにしてもよい。
【００７５】
なお、図１１に示す処理は、ユーザーが操作表示部２０に表示されたトップメニュー画面を操作してコピー機能を選択した場合に実行される。
【００７６】
まず、ステップ２００では、コピー機能の各種パラメータを設定する。このパラメータ設定は、図３のステップ１００と同様の処理であるので、説明は省略する。
【００７７】
コピー機能に関する各種パラメータの設定が終了すると、ステップ２０２へ移行する。
【００７８】
ステップ２０２では、複数原稿モードであるか否か、すなわち、Ｎ枚を１枚コピー及び両面コピーの何れかが選択されたか否かを判断する。これらの何れかのコピー機能が選択された場合は、複数原稿モードであるとしてステップ２０４へ移行し、複数原稿モード以外のコピー機能が選択された場合には、ステップ２２４へ移行する。ステップ２２４では、それぞれのコピー機能に応じた印刷処理が実行されるが、詳細については省略する。
【００７９】
ステップ２０４では、ユーザーにより自動原稿送り装置４０に原稿がセットされ、印刷開始が指示されたか否かが判断される。具体的には、操作表示部２０に表示された印刷開始を指示するための印刷開始ボタンが押下されたか否かが判断される。
【００８０】
印刷開始が指示されたと判断された場合には、ステップ２０６へ移行し、印刷開始が指示されていない場合には、印刷開始が指示されるまで待機する。
【００８１】
ステップ２０６では、原稿を送るように自動原稿送り装置４０に指示すると共に、画像の読み取りを開始するように画像読取部２２に指示する。これにより、自動原稿送り装置４０によって原稿が１枚画像読取部２２に送り込まれ、画像読取部２２によって画像が読み取られる。
【００８２】
ステップ２０８では、プレビュー表示条件を満たすか否かが判断される。この判断は、図３のステップ１１２と同一であるので、説明は省略する。そして、プレビュー表示条件を満たすと判断された場合は、ステップ２１０へ移行し、プレビュー表示条件を満たしていないと判断された場合は、ステップ２１２へ移行する。
【００８３】
ステップ２１０では、プレビュー画像を操作表示部２０に表示させる。この処理は、図１のステップ１１２と同一であり、例えば図６に示すようなプレビュー画像５０が表示されたプレビュー表示画面を操作表示部２０に表示させる。
【００８４】
ステップ２１２では、プレビュー画像を操作表示部２０に表示中であるか否かを判断し、表示中の場合はステップ２１４へ移行し、表示中でない場合には、ステップ２２０へ移行する。
【００８５】
ステップ２１４では、前記プレビュー表示画面の中止ボタンが押下されたか否かを判断し、中止ボタンが押下された場合には処理を中止するべく本ルーチンを終了し、中止ボタンが押下されていない場合にはステップ２１６へ移行する。
【００８６】
ステップ２１６では、前記プレビュー表示画面のプレビュー表示終了ボタンが押下されたか否かを判断し、プレビュー表示終了ボタンが押下された場合には、ステップ２１８へ移行してプレビュー表示を終了させ、プレビュー表示終了ボタンが押下されていない場合には、ステップ２２０へ移行する。
【００８７】
ステップ２２０では、自動原稿送り装置４０にセットされた原稿が無くなったか否か、すなわち最終原稿の読み取りが終了したか否かを判断し、最終原稿の読み取りが終了した場合にはステップ２２２へ移行し、最終原稿の読み取りが終了していない場合には、ステップ２０６へ戻って最終原稿の読み取りが終了するまで上記の処理を繰り返す。
【００８８】
ステップ２２２では、ステップ２００で設定されたパラメータに従って画像が記録用紙に形成されるように、画像形成部２４を制御する。
【００８９】
このように、本実施形態では、ステップ２１０でプレビュー画像が表示された後、ステップ２１８でプレビュー画像の表示が終了されるまで、すなわち、プレビュー画像の表示中に、次の原稿が順次読み取られる。
【００９０】
ここで、本実施形態においても、記録用紙の表面に印刷する分の原稿の画像を読み取った際に（記録用紙の表面に原稿の画像がどのように配置されるか把握できる）第１のプレビュー画像を表示させ、次いで、記録用紙の両面に印刷する分の原稿の画像を読み取った際には、第１のプレビュー画像に代えて、（記録用紙の両面に原稿の画像がどのように配置されるか把握できる）第２のプレビュー画像を表示させるといった形態も考えられる。
【００９１】
なお、上記各実施形態では、記録用紙上に画像を形成する場合について説明したが、画像を形成する記録媒体としては、紙に限られるものではなく、ＯＨＰシートのような記録媒体でもよい。
【００９２】
また、上記各実施形態では、画像形成部２４が、いわゆる電子写真方式によって画像を形成する構成である場合について説明したが、これに限らず、画像形成部２４を、インクジェット方式により画像を形成するものとしてもよい。
【００９３】
また、上記各実施形態で説明した画像形成装置１０の構成（図１参照）は一例であり、本発明の主旨を逸脱しない範囲内において不要な部分を削除したり、新たな部分を追加したりしてもよいことは言うまでもない。
【００９４】
また、上記各記実施形態で説明した制御プログラムの処理の流れ（図３、図１１参照）も一例であり、本発明の主旨を逸脱しない範囲内において不要なステップを削除したり、新たなステップを追加したり、処理順序を入れ替えたりしてもよいことは言うまでもない。
【符号の説明】
【００９５】
１０ 画像形成装置
１６ ネットワーク
１８ コンピュータ
１８Ａ ＣＰＵ（制御手段の一例）
１８Ｂ ＲＯＭ
１８Ｃ ＲＡＭ
１８Ｄ 不揮発性メモリ
１８Ｅ ハードディスク
１８Ｆ Ｉ／Ｏ
１８Ｇ バス
２０ 操作表示部
２２ 画像読取部（読取手段の一例）
２４ 画像形成部（画像形成手段の一例）
２６ 用紙供給部
２８ 用紙排出部
３０ ネットワーク通信Ｉ／Ｆ
３２ 電話回線通信Ｉ／Ｆ
３６ 課金部
３６Ａ コイン課金部
３６Ｂ 電子マネー課金部
【図１】
0005589390.tif 000002
【図２】
0005589390.tif 000003
【図３】
0005589390.tif 000004
【図４】
0005589390.tif 000005
【図５】
0005589390.tif 000006
【図６】
0005589390.tif 000007
【図７】
0005589390.tif 000008
【図８】
0005589390.tif 000009
【図９】
0005589390.tif 000010
【図１０】
0005589390.tif 000011
【図１１】
0005589390.tif 000012